(57)【要約】【課題】  パネルの高精細化を図ることが出来るＰＤＰを提供する。【解決手段】  行電極対（Ｘ１，Ｙ１）を構成する第１行電極Ｘ１および第２行電極Ｙ１が、それぞれ、列方向の長さが異なる第１透明電極Ｘ１ｂ，Ｙ１ｂと第２透明電極Ｘ１ｃ，Ｙ１ｃを有し、第１透明電極Ｘ１ｂとＹ１ｂが第１行電極Ｘ１のバス電極Ｘ１ａに近接する位置において互いに対向されて第１放電セルＣ１を形成し、第２透明電極Ｘ１ｃとＹ１ｃが第２行電極Ｙ１のバス電極Ｙ１ａに近接する位置において互いに対向されて第２放電セルＣ２を形成し、第１放電セルＣ１によって形成される表示ラインＬ１と第２放電セルＣ２によって形成される表示ラインＬ２とが、各行電極対（Ｘ１，Ｙ１）毎に、列方向に並設されている。【選択図】    図４
2006216245.tif 000002
【特許請求の範囲】
【請求項１】
放電空間を挟んで対向される一対の基板の間に、対になった第１行電極と第２行電極によって構成されて行方向に延び列方向に並設された複数の行電極対および列方向に延び行方向に並設された複数の列電極が形成され、一対の基板の間の放電空間の列電極と行電極対が交差する部分にそれぞれ単位発光領域が形成されるプラズマディスプレイパネルにおいて、
前記第１行電極が、行方向に延びる第１電極本体部と、この第１電極本体部に接続されて第１電極本体部から対になっている第２行電極側に向かって列方向に突出する複数の第１突出電極部と、第１電極本体部に接続されて第１電極本体部から対になっている第２行電極側に向かって列方向に突出するとともに先端部が第１突出電極部の先端部よりも第１電極本体部から離間した位置に位置される複数の第２突出電極部とを備え、
前記第２行電極が、行方向に延びる第２電極本体部と、この第２電極本体部に接続されて第２電極本体部から対になっている第１行電極側に向かって列方向に突出するとともに第１行電極の第１突出電極部に対して所要の放電ギャップを介して対向される複数の第３突出電極部と、第２電極本体部に接続されて第２電極本体部から対になっている第１行電極側に向かって列方向に突出するとともに先端部が第３突出電極部の先端部よりも第２電極本体部に近接した位置に位置されて第１行電極の第２突出電極部に対して所要の放電ギャップを介して対向される複数の第４突出電極部とを備え、
前記列電極が、第２行電極の第３突出電極部と交差する位置と第４突出電極部と交差する位置にそれぞれ配置され、
前記放電ギャップを介して対向する第１行電極の第１突出電極部と第２行電極の第３突出電極部に対向する部分の放電空間に第１単位発光領域が形成され、放電ギャップを介して対向する第１行電極の第２突出電極部と第２行電極の第４突出電極部に対向する部分の放電空間に第２単位発光領域が形成されている、
ことを特徴とするプラズマディスプレイパネル。
【請求項２】
前記第１単位発光領域が行方向に並んで第１表示ラインが形成され、第２単位発光領域が行方向に並んで第２表示ラインが形成されて、この第１表示ラインと第２表示ラインが行電極対毎に列方向に並設されている請求項１に記載のプラズマディスプレイパネル。
【請求項３】
前記第１行電極の第１突出電極部と第２突出電極部が第１電極本体部に沿って交互に配置され、第２行電極の第３突出電極部と第４突出電極部が第２電極本体部に沿って交互に配置されて、第１突出電極部と第３突出電極部および第２突出電極部と第４突出電極部が、それぞれ一対一で対向されている請求項１に記載のプラズマディスプレイパネル。
【請求項４】
前記第１行電極の第１突出電極部が、第１電極本体部に接続されて列方向に延びる脚部とこの脚部の先端部に一体的に形成されて行方向に延びる幅広の対向部を有し、第２突出電極部が、第１電極本体部に接続されて列方向に延びる脚部とこの脚部の先端部に一体的に形成されて行方向に延びる幅広の対向部を有し、
前記第２行電極の第３突出電極部が、第２電極本体部に接続されて列方向に延びる脚部とこの脚部の先端部に一体的に形成されて行方向に延びるとともに第１行電極の第１突出電極部の対向部に放電ギャップを介して対向される幅広の対向部を有し、第４突出電極部が、第２電極本体部に接続されて列方向に延びる脚部とこの脚部の先端部に一体的に形成されて行方向に延びるとともに第１行電極の第２突出電極部の対向部に放電ギャップを介して対向される幅広の対向部とを有している請求項３に記載のプラズマディスプレイパネル。
【請求項５】
互いに対向して対になっている前記第１突出電極部の対向部および第３突出電極部の対向部の端部が、この第１突出電極部と第３突出電極部に隣接する位置に位置して互いに対向して対になっている第２突出電極部の対向部および第４突出電極部の対向部の端部と、列方向において重なり合う位置に位置されている請求項４に記載のプラズマディスプレイパネル。
【請求項６】
前記第１行電極の第１突出電極部が任意の数ずつグループ化されて、この第１突出電極部のグループと第２突出電極部が第１電極本体部に沿って交互に配置され、第２行電極の第４突出電極部が任意の数ずつグループ化されて、この第４突出電極部のグループと第３突出電極部が第２電極本体部に沿って交互に配置されて、第１突出電極部の一つのグループが一つの第３突出電極部に対向され、第４突出電極部の一つのグループが一つの第２突出電極部に対向されている請求項１に記載のプラズマディスプレイパネル。
【請求項７】
前記第１突出電極部のグループの各第１突出電極部とこの第１突出電極部が放電ギャップを介して対向する第３突出電極部の部分毎に第１単位発光領域が形成され、第４突出電極部のグループの各第４突出電極部とこの第４突出電極部が放電ギャップを介して対向する第２突出電極部の部分毎に第２単位発光領域が形成されている請求項６に記載のプラズマディスプレイパネル。
【請求項８】
前記第１行電極の第１突出電極部と第２突出電極部が、それぞれ、第１電極本体部に接続されて列方向に延びる脚部とこの脚部の先端部に一体的に形成されて行方向に延びる幅広の対向部を有し、
前記第２行電極の第３突出電極部と第４突出電極部が、それぞれ、第２電極本体部に接続されて列方向に延びる脚部とこの脚部の先端部に一体的に形成されて行方向に延びる幅広の対向部を有し、
前記第２突出電極部の行方向の幅が、この第２突出電極部に対向される第４突出電極部のグループの各第４突出電極部の対向部の行方向の幅の合計以上の大きさに設定され、第３突出電極部の行方向の幅が、この第３突出電極部に対向される第１突出電極部のグループの各第１突出電極部の対向部の行方向の幅の合計以上の大きさに設定されている請求項６に記載のプラズマディスプレイパネル。
【請求項９】
前記第１突出電極部と第４突出電極部が、それぞれ、二個ずつグループ化されて、第２突出電極部と第３突出電極部に対向されている請求項６に記載のプラズマディスプレイパネル。
【請求項１０】
前記第１突出電極部と第４突出電極部が、それぞれ、四個ずつグループ化されて、第２突出電極部と第３突出電極部に対向されている請求項６に記載のプラズマディスプレイパネル。
【請求項１１】
第２突出電極部の対向部の端部が、隣接する位置に位置された第３突出電極部の対向部の端部と列方向において重なり合う位置に位置されている請求項８に記載のプラズマディスプレイパネル。
【請求項１２】
前記第１行電極の第１突出電極部が、第１電極本体部に接続されて列方向に延びる脚部とこの脚部の先端部に一体的に形成されて行方向に延びる幅広の対向部を有し、第２突出電極部が、第１電極本体部に接続されて列方向に延びる脚部とこの脚部の先端部に一体的に形成されて行方向に延びる幅広の対向部を有していて、第１電極本体部に第１突出電極部と交互に接続されており、
前記第２行電極の第３突出電極部が、第２電極本体部に接続されて列方向に延びる脚部とこの脚部の先端部に一体的に形成されて行方向に延びるとともに第１行電極の第１突出電極部の対向部とほぼ同一の行方向の幅を有していてこの第１突出電極部の対向部に放電ギャップを介して対向される対向部を有し、第４突出電極部が、第２電極本体部に接続されて列方向に延びる脚部とこの脚部の先端部に一体的に形成されて行方向に延びるとともに第１行電極の第２突出電極部の対向部とほぼ同一の行方向の幅を有していてこの第２突出電極部の対向部に放電ギャップを介して対向される対向部とを有しており、
互いに対向して対になっている前記第１突出電極部と第３突出電極部、および、第２突出電極部と第４突出電極部毎に、それぞれ複数本の列電極が配置されて、各列電極が、第１突出電極部の対向部と第３突出電極部の対向部、および、第２突出電極部の対向部と第４突出電極部の対向部の複数箇所においてそれぞれ交差して、第１突出電極部の対向部と第３突出電極部の対向部との各交差部分の放電空間に第１単位発光領域が形成され、第２突出電極部の対向部と第４突出電極部の対向部との各交差部分の放電空間に第２単位発光領域が形成されている請求項１に記載のプラズマディスプレイパネル。
【請求項１３】
前記互いに対向して対になっている第１突出電極部と第３突出電極部、および、第２突出電極部と第４突出電極部毎に、それぞれ二本の列電極が配置されて、各列電極が、第１突出電極部の対向部と第３突出電極部の対向部の両端部、および、第２突出電極部の対向部と第４突出電極部の対向部の両端部とそれぞれ交差している請求項１２に記載のプラズマディスプレイパネル。
【請求項１４】
前記第１突出電極部の対向部と第３突出電極部の対向部の端部が、隣接する位置に位置されている第２突出電極部と第４突出電極部の端部と、それぞれ、列方向において重なり合う位置に位置されている請求項１２に記載のプラズマディスプレイパネル。
【請求項１５】
前記列電極が、第２行電極の第３突出電極部の第１単位発光領域を形成する部分、または、第４突出電極部の第２単位発光領域を形成する部分の位置に対応して、それぞれ列方向において屈曲または湾曲した形状に形成されている請求項１に記載のプラズマディスプレイパネル。
【請求項１６】
前記列電極が、列方向に延びる本体部とこの本体部から行方向に突出する突出部とを有し、この列電極の突出部が、第２行電極の第３突出電極部の第１単位発光領域を形成する部分に対向する位置、または、第４突出電極部の第２単位発光領域を形成する部分に対向する位置に位置されている請求項１に記載のプラズマディスプレイパネル。
【請求項１７】
前記一対の基板の間に形成されて放電空間を第１単位発光領域および第２単位発光領域毎に区画する隔壁をさらに備えている請求項１に記載のプラズマディスプレイパネル。
【請求項１８】
前記一対の基板のうちの一方の基板の内面側に行電極対または列電極を被覆する誘電体層が形成され、この誘電体層の隔壁に対向する部分に隔壁側に突出する嵩上げ部が形成されている請求項１７に記載のプラズマディスプレイパネル。
【請求項１９】
前記一対の基板のうちのパネル表示面となる基板の内面側のうち、第１単位発光領域および第２単位発光領域に対向する部分以外の部分に対向する位置に形成された光吸収層をさらに備えている請求項１に記載のプラズマディスプレイパネル。
【発明の詳細な説明】
【技術分野】
【０００１】
この発明は、プラズマディスプレイパネルのパネル構造に関する。
【背景技術】
【０００２】
図１ないし３は、従来のプラズマディスプレイパネル（以下、ＰＤＰという）のパネル構造を示しており、図１はこのＰＤＰの正面図，図２は図１のＶ−Ｖ線における断面図，図３は図１のＷ−Ｗ線における断面図である。
【０００３】
この従来のＰＤＰは、図１ないし３において、ＰＤＰの表示面となる前面ガラス基板１の背面に、行方向（図１の左右方向）に延びる複数の行電極対（Ｘ，Ｙ）が、列方向に平行に並設されている。
【０００４】
この各行電極対（Ｘ，Ｙ）を構成する行電極Ｘ，Ｙは、それぞれ、前面ガラス基板１の行方向に延びる金属膜からなるバス電極Ｘａ，Ｙａと、このバス電極Ｘａ，Ｙａの等間隔位置にそれぞれ接続されて互いに対になっている他の行電極側に列方向（図１において上下方向）に突出する透明電極Ｘｂ，Ｙｂとから構成されている。
【０００５】
各透明電極Ｘｂ，Ｙｂは、それぞれ略Ｔ字形状に成形されていて、列方向に延びる幅狭の脚部がバス電極Ｘａ，Ｙａに接続され、行方向に延びる幅広の対向部が放電ギャップｇを介して互いに対向されている。
【０００６】
前面ガラス基板１の背面には、さらに、行電極対（Ｘ，Ｙ）を被覆するように誘電体層２が形成されており、この誘電体層２の背面の互いに隣接する行電極対（Ｘ，Ｙ）の背中合わせに隣り合うバス電極ＸａおよびＹａに対向する位置、および、この隣り合うバス電極ＸａとＹａの間の領域部分に対向する位置に、誘電体層２の背面側に突出する嵩上げ誘電体層３が、バス電極Ｘａ，Ｙａと平行に延びるように形成されている。
【０００７】
そして、この誘電体層２と嵩上げ誘電体層３の背面側には、ＭｇＯからなる保護層４が形成されている。
【０００８】
一方、前面ガラス基板１と放電空間Ｓを介して平行に配置された背面ガラス基板５の表示側の面上には、アドレス電極Ｄが、各行電極対（Ｘ，Ｙ）の互いに対になっている透明電極ＸｂおよびＹｂに対向する位置において行電極対（Ｘ，Ｙ）と直交する方向（列方向）に延びるように、互いに所定の間隔を開けて平行に並設されている。
【０００９】
背面ガラス基板５の表示側の面上には、さらに、アドレス電極Ｄを被覆する白色の列電極保護層(誘電体層）６が形成され、この列電極保護層６上に、隔壁７が形成されている。
【００１０】
この隔壁７は、隣接する列電極Ｄの間の中間位置において列方向に延びる縦壁部７Ａと、隣接するサステイン電極対（Ｘ，Ｙ）の背中合わせに位置するバス電極ＸａとＹａ、および、このバス電極ＸａとＹａの間の領域に対向する位置においてそれぞれ行方向に延びる横壁部７Ｂとによって略格子形状に成形されており、この隔壁７によって、前面ガラス基板１と背面ガラス基板６の間の放電空間Ｓが、各行電極対（Ｘ，Ｙ）において互いに対になっている透明電極ＸｂとＹｂに対向する部分に形成される放電セルＣ毎に、それぞれ方形に区画されている。
【００１１】
この各放電セルＣ内には、隔壁７の縦壁部７Ａおよび横壁部７Ｂの側面と列電極保護層６の表面の五つの面を覆うように蛍光体層８が形成され、この蛍光体層８は、各放電セルＣ毎に赤，緑，青の三原色に色分けされてこの赤，緑，青の色が行方向に順に並ぶように配列されている。
【００１２】
放電空間Ｓ内には、キセノンガスを含む放電ガスが封入されている。
【００１３】
上記ＰＤＰは、行電極Ｙの透明電極Ｙｂとアドレス電極Ｄ間において選択的にアドレス放電を行い、このアドレス放電によって放電セルＣに対向する誘電体層２に選択的に壁電荷を形成する。
【００１４】
そして、この後、誘電体層２に壁電荷が形成されている放電セルＣ（発光セル）内において、行電極ＸとＹの透明電極ＸｂとＹｂ間に維持放電を発生させ、この維持放電によって放電ガス中のキセノンガスから放射される真空紫外線により、赤，緑，青のそれぞれの蛍光体層８を励起して発光させて、マトリクス表示による画像の形成を行う（例えば特許文献１参照）。
【００１５】
近年、ＰＤＰに対しては、放電空間Ｓを区画して形成される放電セルＣの数を増加させることにより、画面の高精細化を図ることが強く要求されてきている。
【００１６】
しかしながら、上記のような構成のＰＤＰにおいて、画面の高精細化を図るために列方向の放電セルＣの数が増加される場合には、この放電セルＣの数の増加に伴って行電極対（Ｘ，Ｙ）の本数も増加する。
【００１７】
このため、パネル面における行電極Ｘ，Ｙのバス電極Ｘａ，Ｙａが位置する非表示領域部分の面積比率が、列方向の放電セルＣの数が増加するほど増大して、表示領域部分の面積比率が減少することによる画面の輝度低下が著しくなることや、隣接する行電極対（Ｘ，Ｙ）間の間隔（互いに背中合わせに位置するバス電極ＸａとＹａの間の間隔）が狭まって誤放電が発生する虞が生じる等の理由により、列方向での放電セルＣの増加には限度がある。
【００１８】
さらに、画面の高精細化が図られるほど行電極対（Ｘ，Ｙ）の数が増加してアドレス放電に要する時間が長くなるため、形成される画像の輝度および階調に対する制約の一因となる。
【００１９】
このため、従来のＰＤＰにおいては、画面の高精細化の要求に対して十分に対応することが出来ない場合が生じるという問題がある。
【００２０】
【特許文献１】特開２０００−１９５４３１号
【発明の開示】
【発明が解決しようとする課題】
【００２１】
この発明は、上記のような従来のＰＤＰにおける問題点を解決することをその課題の一つとしている。
【課題を解決するための手段】
【００２２】
この発明（請求項１に記載の発明）によるＰＤＰは、上記目的を達成するために、 放電空間を挟んで対向される一対の基板の間に、対になった第１行電極と第２行電極によって構成されて行方向に延び列方向に並設された複数の行電極対および列方向に延び行方向に並設された複数の列電極が形成され、一対の基板の間の放電空間の列電極と行電極対が交差する部分にそれぞれ単位発光領域が形成されるＰＤＰにおいて、前記第１行電極が、行方向に延びる第１電極本体部と、この第１電極本体部に接続されて第１電極本体部から対になっている第２行電極側に向かって列方向に突出する複数の第１突出電極部と、第１電極本体部に接続されて第１電極本体部から対になっている第２行電極側に向かって列方向に突出するとともに先端部が第１突出電極部の先端部よりも第１電極本体部から離間した位置に位置される複数の第２突出電極部とを備え、前記第２行電極が、行方向に延びる第２電極本体部と、この第２電極本体部に接続されて第２電極本体部から対になっている第１行電極側に向かって列方向に突出するとともに第１行電極の第１突出電極部に対して所要の放電ギャップを介して対向される複数の第３突出電極部と、第２電極本体部に接続されて第２電極本体部から対になっている第１行電極側に向かって列方向に突出するとともに先端部が第３突出電極部の先端部よりも第２電極本体部に近接した位置に位置されて第１行電極の第２突出電極部に対して所要の放電ギャップを介して対向される複数の第４突出電極部とを備え、前記列電極が、第２行電極の第３突出電極部と交差する位置と第４突出電極部と交差する位置にそれぞれ配置され、前記放電ギャップを介して対向する第１行電極の第１突出電極部と第２行電極の第３突出電極部に対向する部分の放電空間に第１単位発光領域が形成され、放電ギャップを介して対向する第１行電極の第２突出電極部と第２行電極の第４突出電極部に対向する部分の放電空間に第２単位発光領域が形成されていることを特徴としている。
【発明を実施するための最良の形態】
【００２３】
この発明によるＰＤＰは、行電極対を構成する第１行電極が、バス電極と、列方向の長さが短い透明電極と長い透明電極を有し、第２行電極が、バス電極と、列方向の長さが長く第１行電極のバス電極に近接する位置において第１行電極の長さが短い透明電極に対向される透明電極と、列方向の長さが短く第２行電極のバス電極に近接する位置において第１行電極の長さが長い透明電極に対向される透明電極とを有していて、第１行電極の長さが短い透明電極と第２行電極の長さが長い透明電極の対向部分に対向する部分の放電空間に第１放電セルが形成され、第１行電極の長さが長い透明電極と第２行電極の長さが短い透明電極の対向部分に対向する部分の放電空間に第２放電セルが形成されて、行方向に並ぶ第１放電セルによって形成される第１表示ラインと行方向に並ぶ第２放電セルによって形成される第２表示ラインとが、各行電極対毎に、列方向に並設されているＰＤＰをその最良の実施形態としている。
【００２４】
この実施形態によるＰＤＰによれば、各行電極対毎に、二本の表示ラインが形成されるので、従来の各行電極対毎に表示ラインが一本ずつ形成されるＰＤＰの場合と比較して、画面の高精細化を図るために列方向の放電セルの数が増加される（表示ラインの数が増加される）場合でも、行電極対の数は表示ラインの数の半数で済むので、行電極対の本数の増加によって表示領域部分のパネル面における面積比率が減少するといった問題や、隣接する行電極対間の間隔が狭まって誤放電が発生するといった問題が解消されて、画面の高精細化の要求に対して十分に対応することが出来るようになり、さらに、アドレス放電に要する時間が半減されるので、形成画像の輝度および階調に対する性能を向上させることができる。
【実施例１】
【００２５】
図４は、この発明の実施形態の第１実施例におけるＰＤＰのパネル面の一部を模式的に示す正面図である。
【００２６】
なお、この発明は、前面ガラス基板に行電極対を形成して誘電体層によって被覆するとともに背面ガラス基板側に蛍光体層と列電極を形成した反射型交流ＰＤＰ、および、前面ガラス基板側に行電極対と列電極を形成して誘電体層によって被覆するとともに背面ガラス基板側に蛍光体層を形成した反射型交流ＰＤＰ，前面ガラス基板側に蛍光体層を形成するとともに背面ガラス基板側に行電極対および列電極を形成して誘電体層によって被覆した透過型交流ＰＤＰなどの種々の形式のＰＤＰに適用することが出来るが、以下においては、この発明を、行電極対を前面ガラス基板に形成し背面ガラス基板側に蛍光体層と列電極を形成した図１ないし３のＰＤＰと同様の反射型交流ＰＤＰに適用した場合の実施例について、説明を行う。
【００２７】
図４において、前面ガラス基板（図示せず）の背面側に、それぞれ行電極Ｘ１とＹ１によって構成される行電極対（Ｘ１，Ｙ１）が、行方向に延び列方向に並設された状態で多数形成されている。
【００２８】
行電極Ｘ１は、行方向に延びる帯状の金属膜からなるバス電極Ｘ１ａ、および、このバス電極Ｘ１ａに交互に接続されてこのバス電極Ｘ１ａから対になっている行電極Ｙ１側に列方向（図４において下方向）に突出する略Ｔ字形状の第１透明電極Ｘ１ｂと、略逆Ｌ字形状の第２透明電極Ｘ１ｃとから構成されている。
【００２９】
この行電極Ｘ１の第１透明電極Ｘ１ｂは、バス電極Ｘ１ａに沿って等間隔に接続されており、列方向に延びてバス電極Ｘ１ａに接続される幅狭の脚部Ｘ１ｂ１と、この脚部Ｘ１ｂ１の先端部において行方向に延びて脚部Ｘ１ｂ１と略Ｔ字形状を形成するように一体的に成形された幅広の対向部Ｘ１ｂ２とによって構成されている。
【００３０】
第２透明電極Ｘ１ｃは、バス電極Ｘ１ａに沿って第１透明電極Ｘ１ｂの中間位置にそれぞれ等間隔に接続されており、列方向に延びてバス電極Ｘ１ａに接続される幅狭の脚部Ｘ１ｃ１と、この脚部Ｘ１ｃ１の先端部から図４において行方向左側向きに張り出して脚部Ｘ１ｃ１と略逆Ｌ字形状を形成するように一体的に成形された幅広の対向部Ｘ１ｃ２とによって構成されている。
【００３１】
この行電極Ｘ１の第１透明電極Ｘ１ｂと第２透明電極Ｘ１ｃとは、第２透明電極Ｘ１ｃの脚部Ｘ１ｃ１の長さが、第１透明電極Ｘ１ｂの脚部Ｘ１ｂ１の長さよりも長くなるように形成されて、第２透明電極Ｘ１ｃの対向部Ｘ１ｃ２が第１透明電極Ｘ１ｂの対向部Ｘ１ｂ２よりもバス電極Ｘ１ａから離間した位置に位置されているとともに、第１透明電極Ｘ１ｂの対向部Ｘ１ｂ２の図において右側部分とこの第１透明電極Ｘ１ｂの右側に隣接する第２透明電極Ｘ１ｃの対向部Ｘ１ｃ２の左側部分とが、列方向において所要の間隔を開けた状態で対向される位置に位置されている。
【００３２】
同様に、行電極Ｙ１も、行方向に延びる帯状の金属膜からなるバス電極Ｙ１ａ、および、このバス電極Ｙ１ａに交互に接続されてこのバス電極Ｙ１ａから対になっている行電極Ｘ１側に列方向（図４において上方向）に突出する略逆さＬ字形状の第１透明電極Ｙ１ｂ、および、略Ｔ字形状の第２透明電極Ｙ１ｃとから構成されている。
【００３３】
この行電極Ｙ１の第１透明電極Ｙ１ｂは、行電極Ｘ１の第１透明電極Ｘ１ｂと対になっていて、第１透明電極Ｘ１ｂに対応する位置においてバス電極Ｙ１ａに沿って等間隔に配置されており、バス電極Ｙ１ａに接続されて列方向に延びる幅狭の脚部Ｙ１ｂ１と、この脚部Ｙ１ｂ１の先端部から図４において行方向右側向きに張り出して脚部Ｙ１ｂ１と略逆さＬ字形状を形成するように一体的に成形された幅広の対向部Ｙ１ｂ２とによって構成されている。
【００３４】
第２透明電極Ｙ１ｃは、行電極Ｘ１の第２透明電極Ｘ１ｃと対になっていて、バス電極Ｙ１ａに沿って第１透明電極Ｙ１ｂの中間の第２透明電極Ｘ１ｃに対応する位置に等間隔にそれぞれ配置されて列方向に延びるとともにバス電極Ｙ１ａに接続される幅狭の脚部Ｙ１ｃ１と、この脚部Ｙ１ｃ１の先端部において行方向に延びて脚部Ｙ１ｃ１と略Ｔ字形状を形成するように一体的に成形された幅広の対向部Ｙ１ｃ２とによって構成されている。
【００３５】
この行電極Ｙ１の第１透明電極Ｙ１ｂと第２透明電極Ｙ１ｃとは、第１透明電極Ｙ１ｂの脚部Ｙ１ｂ１の長さが、第２透明電極Ｙ１ｃの脚部Ｙ１ｃ１の長さよりも長くなるように形成されており、第１透明電極Ｙ１ｂの対向部Ｙ１ｂ２が第２透明電極Ｙ１ｃの対向部Ｙ１ｃ２よりもバス電極Ｙ１ａから離間した位置に位置されているとともに、第１透明電極Ｙ１ｂの対向部Ｙ１ｂ２の図において右側部分とこの第１透明電極Ｙ１ｂの右側に隣接する第２透明電極Ｙ１ｃの対向部Ｙ１ｃ２の左側部分とが、列方向において所要の間隔を開けた状態で対向される位置に位置されている。
【００３６】
そして、行電極Ｘ１の第１透明電極Ｘ１ｂの対向部Ｘ１ｂ２の右側部分と行電極Ｙ１の第２透明電極Ｙ１ｃの対向部Ｙ１ｃ２の左側部分との間に、第２透明電極Ｘ１ｂの対向部Ｘ１ｂ２の左側部分と第１透明電極Ｙ１ｂの対向部Ｙ１ｂ２の右側部分とが挟まれた状態で位置されていて、第１透明電極Ｘ１ｂの対向部Ｘ１ｂ２が第１透明電極Ｙ１ｂの対向部Ｙ１ｂ２に放電ギャップｇ１を介して対向されており、第２透明電極Ｘ１ｃの対向部Ｘ１ｃ２が第２透明電極Ｙ１ｃの対向部Ｙ１ｃ２に放電ギャップｇ２を介して対向されている。
【００３７】
この行電極対（Ｘ１，Ｙ１）が形成される前面ガラス基板と放電空間を介して対向される背面ガラス基板（図示せず）の内面側に第１列電極Ｄ１と第２列電極Ｄ２が形成されており、第１列電極Ｄ１は、行電極Ｙ１の第１透明電極Ｙ１ｂの脚部Ｙ１ｂ１に対向する位置において、また、第２列電極Ｄ２は、行電極Ｘ１の第２透明電極Ｘ１ｃの脚部Ｘ１ｃ１に対向する位置において、それぞれ列方向に帯状に延びるように形成されている。
【００３８】
そして、以上のような行電極対（Ｘ１，Ｙ１）と第１列電極Ｄ１，第２列電極Ｄ２の構成によって、前面ガラス基板および背面ガラス基板の間の放電空間において、放電ギャップｇ１を介して対向される第１透明電極Ｘ１ｂの対向部Ｘ１ｂ２および第１透明電極Ｙ１ｂの対向部Ｙ１ｂ２と第１列電極Ｄ１が交差する部分に、第１放電セルＣ１が形成され、放電ギャップｇ２を介して対向される第２透明電極Ｘ１ｃの対向部Ｘ１ｃ２および第２透明電極Ｙ１ｃの対向部Ｙ１ｃ２と第２列電極Ｄ２が交差する部分に、第２放電セルＣ２が形成されている。
【００３９】
すなわち、ＰＤＰの正面側から見て、各行電極対（Ｘ１，Ｙ１）の行電極Ｘ１のバス電極Ｘ１ａと行電極Ｙ１のバス電極Ｙ１ａとの間に、バス電極Ｘ１ａ側に位置されて行方向に配列される第１放電セルＣ１の行（表示ラインＬ１）と、バス電極Ｙ１ａ側に位置されて行方向に配列される第２放電セルＣ２の行（表示ラインＬ２）の二行の放電セル（二つの表示ライン）が、行方向に略半ピッチずつずれた状態で列方向に配列されている。
【００４０】
この第１放電セルＣ１および第２放電セルＣ２内には、それぞれ、赤，緑，青の三原色に色分けされた図示しない蛍光体層が行方向に順に形成されている。
【００４１】
上記ＰＤＰは、駆動時に、第１放電セルＣ１内において行電極Ｙ１の第１透明電極Ｙ１ｂと第１列電極Ｄ１との間で、また、第２放電セルＣ２内において第２透明電極Ｙ１ｃと第２列電極Ｄ２との間でそれぞれ選択的にアドレス放電が発生される。
【００４２】
そして、このアドレス放電が発生された第１放電セルＣ１に対向する行電極Ｘ１の第１透明電極Ｘ１ｂと行電極Ｙ１の第１透明電極Ｙ１ｂとの間、および、アドレス放電が発生された第２放電セルＣ２に対向する行電極Ｘ１の第２透明電極Ｘ１ｃと行電極Ｙ１の第２透明電極Ｙ１ｃとの間において、それぞれサステイン放電が発生されて、第１放電セルＣ１および第２放電セルＣ２内に形成されている赤，緑，青に色分けされた蛍光体層が発光されることにより、ＰＤＰのパネル面に映像信号に対応したマトリクス表示による画像が形成される。
【００４３】
上記ＰＤＰによれば、各行電極対（Ｘ１，Ｙ１）毎に、第１放電セルＣ１による表示ラインＬ１と第２放電セルＣ２による表示ラインＬ２の二本の表示ラインが形成されるので、従来の各行電極対毎に表示ラインが一本ずつ形成されるＰＤＰの場合と比較して、表示画像の高精細化を図るために列方向の放電セルの数が増加される（表示ラインの数が増加される）場合でも、行電極対の数は表示ラインの数の半数で済むので、行電極対の本数の増加によってパネル面における表示領域部分の面積比率が著しく減少するといった問題や、隣接する行電極対間の間隔が狭まって誤放電が発生するといった問題が解消されて、画面の高精細化の要求に対して十分に対応することが出来るようになる。
【実施例２】
【００４４】
図５は、この発明の実施形態の第２実施例におけるＰＤＰのパネル面の一部を模式的に示す正面図である。
【００４５】
この第２実施例におけるＰＤＰは、前面ガラス基板と背面ガラス基板の間の放電空間内に構成される各放電セルが、隔壁によって区画されているもので、行電極対および列電極の構成およびＰＤＰの他の部分の構成については図４の第１実施例のＰＤＰとほぼ同様であり、この第１実施例のＰＤＰと同一の構成部分については、図５において、図４と同一の符号が付されている。
【００４６】
この図５において、第１放電セルＣ１および第２放電セルＣ２を区画する隔壁１０は、背面ガラス基板（図示せず）の前面ガラス基板（図示せず）に対向する側の面上に第１列電極Ｄ１および第２列電極Ｄ２を被覆するように形成された列電極保護層（図示せず）上に形成されて、背面ガラス基板と前面ガラス基板の間に位置されている。
【００４７】
この隔壁１０は、ＰＤＰのパネル面を正面から見た図５の状態において、それぞれ、隣接する行電極対（Ｘ１，Ｙ１）の互いに背中合わせに位置する行電極Ｘ１のバス電極Ｘ１ａと行電極Ｙ１のバス電極Ｙ１ａ、および、この背中合わせに位置するバス電極Ｘ１ａとバス電極Ｙ１ａの間の領域部分に対向する位置において行方向に帯状に延びる第１横壁１０Ａと、行電極Ｙ１の第１透明電極Ｙ１ｂの対向部Ｙ１ｂ２と行電極Ｘ１の第２透明電極Ｘ１ｃの対向部Ｘ１ｃ２との間の領域部分に対向する位置において行方向に帯状に延びる第２横壁１０Ｂと、行電極Ｘ１の第２透明電極Ｘ１ｃの脚部Ｘ１ｃ１に対向する位置において第１横壁１０Ａと第２横壁１０Ｂとの間を列方向に帯状に延びる第１縦壁１０Ｃと、行電極Ｙ１の第１透明電極Ｙ１ｂの脚部Ｙ１ｂ１に対向する位置において第２横壁１０Ｂと第１横壁１０Ａとの間を列方向に帯状に延びる第２縦壁１０Ｄとによって、第１縦壁１０Ｃと第２縦壁１０Ｄが行方向に半ピッチずつずれた略格子形状に成形されている。
【００４８】
そして、この隔壁１０によって、第１放電セルＣ１が、第１横壁１０Ａと第２横壁１０Ｂ，第１縦壁１０Ｃによって四方を囲まれることにより方形に区画され、第２放電セルＣ２が、第１横壁１０Ａと第２横壁１０Ｂ，第２縦壁１０Ｄによって四方を囲まれることにより方形に区画されている。
【００４９】
上記のＰＤＰによれば、前面ガラス基板と背面ガラス基板の間に形成された隔壁１０によって、放電空間内において第１放電セルＣ１と第２放電セルＣ２がそれぞれ区画されて、行方向において隣接する第１放電セルＣ１間および第２放電セルＣ２間，列方向において隣接する第１放電セルＣ１と第２放電セルＣ２間がそれぞれ仕切られているので、ＰＤＰの駆動時に第１放電セルＣ１および第２放電セルＣ２内に放電が発生される際に、隣接する各放電セル間において放電の干渉による誤放電が発生するのが防止される。
【００５０】
従って、上記ＰＤＰは、第１実施例のＰＤＰの技術的効果に加えて、ＰＤＰの駆動時における誤放電の発生が防止されることによって、第１実施例のＰＤＰと比べて、画面の高精細化をさらに図ることが可能になる。
【００５１】
なお、上記のＰＤＰにおいて、前面ガラス基板の背面側に形成されて行電極対（Ｘ１，Ｙ１）を被覆している誘電体層（図示せず）の放電空間に対向する背面側の隔壁１０の第１横壁１０Ａおよび第２横壁１０Ｂに対向する位置に、誘電体層から放電空間内に張り出す誘電体層の嵩上げ部が形成されて、列方向において隣接する第１放電セルＣ１と第２放電セルＣ２間が閉じられるようにしたり、さらに、誘電体層の隔壁１０の第１縦壁１０Ｃおよび第２縦壁１０Ｄに対向する位置に、同様の嵩上げ部が形成されて、行方向において隣接する第１放電セルＣ１間および第２放電セルＣ２間が閉じられるようにしてもよく、このように誘電体層に嵩上げ部が形成されることによって、各放電セル間における誤放電の発生をさらに防止することが出来るようになる。
【実施例３】
【００５２】
図６は、この発明の実施形態の第３実施例におけるＰＤＰのパネル面の一部を模式的に示す正面図である。
【００５３】
この第３実施例におけるＰＤＰは、 前面ガラス基板の背面の放電セルと対向する部分以外の部分に、パネル面に入射してくる外光を吸収してその反射を防止する光吸収層が形成されているもので、行電極対および列電極の構成およびＰＤＰの他の部分の構成については図４の第１実施例のＰＤＰとほぼ同様であり、この第１実施例のＰＤＰと同一の構成部分については、図６において、図４と同一の符号が付されている。
【００５４】
この図６において、光吸収層１１は、前面ガラス基板（図示せず）の背面側に形成され、行電極Ｘ１，Ｙ１の第１放電セルＣ１または第２放電セルＣ２に対向する部分以外の部分（バス電極Ｘ１ａ，Ｙ１ａおよび第１透明電極Ｘ１ｂ，Ｙ１ｂの脚部Ｘ１ｂ１，Ｙ１ｂ１，第２透明電極Ｘ１ｃ，Ｙ１ｃの脚部Ｘ１ｃ１，Ｙ１ｃ１）は、この光吸収層１１上に形成されている。
【００５５】
この光吸収層１１は、ＰＤＰのパネル面を正面から見た図６の状態において、それぞれ、前面ガラス基板の背面上の隣接する行電極対（Ｘ１，Ｙ１）の互いに背中合わせに位置する行電極Ｘ１のバス電極Ｘ１ａと行電極Ｙ１のバス電極Ｙ１ａが形成される部分、および、この背中合わせに位置するバス電極Ｘ１ａとバス電極Ｙ１ａの間の領域部分に行方向に帯状に延びる第１横帯部１１Ａと、行電極Ｙ１の第１透明電極Ｙ１ｂの対向部Ｙ１ｂ２と行電極Ｘ１の第２透明電極Ｘ１ｃの対向部Ｘ１ｃ２が形成される部分の間の領域部分において行方向に帯状に延びる第２横帯部１１Ｂと、行電極Ｘ１の第２透明電極Ｘ１ｃの脚部Ｘ１ｃ１が形成される部分において第１横帯部１１Ａと第２横帯部１１Ｂとの間を列方向に帯状に延びる第１縦帯部１１Ｃと、行電極Ｙ１の第１透明電極Ｙ１ｂの脚部Ｙ１ｂ１が形成される部分において第２横帯部１１Ｂと第１横帯部１１Ａとの間を列方向に帯状に延びる第２縦帯部１１Ｄとによって、第１縦帯部１１Ｃと第２縦帯部１１Ｄが行方向に半ピッチずつずれた略格子形状に成形されている。
【００５６】
上記ＰＤＰは、第１実施例のＰＤＰの技術的効果に加えて、第１放電セルＣ１および第２放電セルＣ２の形成部分以外のパネル面の非表示領域部分が、光吸収層１１によってカバーされて、このパネル面の非表示領域部分に入射してくる外光の反射が防止されるので、パネル面に形成される画像のコントラストが向上される。
【００５７】
なお、上記においては、この発明の実施例を図４の第１実施例のＰＤＰに適用した場合について説明を行ったが、この実施例を図５の第２実施例のＰＤＰに適用するようにしてもよく、この場合には、光吸収層１１は、隔壁の形成位置とほぼ重なるように形成される。
【実施例４】
【００５８】
図７は、この発明の実施形態の第４実施例におけるＰＤＰのパネル面の一部を模式的に示す正面図である。
【００５９】
なお、以下においては、この発明を、前述した第１ないし第３実施例の場合と同様に、行電極対を前面ガラス基板に形成し背面ガラス基板側に蛍光体層と列電極を形成した図１ないし３のＰＤＰと同様の反射型交流ＰＤＰに適用した場合の実施例について説明を行うが、この実施例のＰＤＰは、反射型交流ＰＤＰや透過型交流ＰＤＰなどの種々の形式のＰＤＰに適用することも出来る。
【００６０】
図７において、前面ガラス基板（図示せず）の背面側に、それぞれ行電極Ｘ２とＹ２によって構成される行電極対（Ｘ２，Ｙ２）が、行方向に延び列方向に並設された状態で多数形成されている。
【００６１】
行電極Ｘ２は、行方向に延びる帯状の金属膜からなるバス電極Ｘ２ａ、および、このバス電極Ｘ２ａにそれぞれ接続されてこのバス電極Ｘ２ａから対になっている行電極Ｙ２側に列方向（図７において下方向）に突出する略Ｔ字形状の第１透明電極Ｘ２ｂおよび第２透明電極Ｘ２ｃとから構成されている。
【００６２】
この行電極Ｘ２の第１透明電極Ｘ２ｂは、列方向に延びてバス電極Ｘ２ａに接続される幅狭の脚部Ｘ２ｂ１と、この脚部Ｘ２ｂ１の先端部において行方向に延びて脚部Ｘ２ｂ１と略Ｔ字形状を形成するように一体的に成形された幅広の対向部Ｘ２ｂ２とによって構成されている。
【００６３】
第２透明電極Ｘ２ｃも、同様に、列方向に延びてバス電極Ｘ２ａに接続される幅狭の脚部Ｘ２ｃ１と、この脚部Ｘ２ｃ１の先端部において行方向に延びて脚部Ｘ２ｃ１と略Ｔ字形状を形成するように一体的に成形された幅広の対向部Ｘ２ｃ２とによって構成されている。
【００６４】
この第１透明電極Ｘ２ｂと第２透明電極Ｘ２ｃは、第２透明電極Ｘ２ｃの脚部Ｘ２ｃ１が第１透明電極Ｘ２ｂの脚部Ｘ２ｂ１よりも長くなるように形成されていて、第１透明電極Ｘ２ｂの対向部Ｘ２ｂ２がバス電極Ｘ２ａに接近した位置に位置され、第２透明電極Ｘ２ｃの対向部Ｘ２ｃ２がバス電極Ｘ２ａから離間した位置に位置されている。
【００６５】
さらに、第１透明電極Ｘ２ｂの対向部Ｘ２ｂ２と第２透明電極Ｘ２ｃの対向部Ｘ２ｃ２は、第２透明電極Ｘ２ｃの対向部Ｘ２ｃ２の行方向の幅が第１透明電極Ｘ２ｂの対向部Ｘ２ｂ２の行方向の幅の二倍以上の長さになるように形成されている。
【００６６】
そして、二個の第１透明電極Ｘ２ｂが対になって、この第１透明電極Ｘ２ｂの対が、バス電極Ｘ２ａに沿って等間隔に配置されており、第２透明電極Ｘ２ｃが、このバス電極Ｘ２ａに沿って等間隔に配置された第１透明電極Ｘ２ｂの対の中間位置にそれぞれ等間隔に配置されており、この第２透明電極Ｘ２ｃの対向部Ｘ２ｃ２の図において左側部分とこの第２透明電極Ｘ２ｃの左側に隣接している第１透明電極Ｘ２ｂの対向部Ｘ２ｂ２の右側部分とが、列方向において所要の間隔を開けた状態で対向され、対向部Ｘ２ｃ２の図において右側部分と第２透明電極Ｘ２ｃの右側に隣接している第１透明電極Ｘ２ｂの対向部Ｘ２ｂ２の左側部分とが、列方向において同様に所要の間隔を開けた状態で対向されている。
【００６７】
同様に、行電極Ｙ２は、行方向に延びる帯状の金属膜からなるバス電極Ｙ２ａ、および、このバス電極Ｙ２ａにそれぞれ接続されてこのバス電極Ｙ２ａから対になっている行電極Ｘ２側に列方向（図７において上方向）に突出する略Ｔ字形状の第１透明電極Ｙ２ｂおよび第２透明電極Ｙ２ｃとから構成されている。
【００６８】
この行電極Ｙ２の第１透明電極Ｙ２ｂは、列方向に延びてバス電極Ｙ２ａに接続される幅狭の脚部Ｙ２ｂ１と、この脚部Ｙ２ｂ１の先端部において行方向に延びて脚部Ｙ２ｂ１と略Ｔ字形状を形成するように一体的に成形された幅広の対向部Ｙ２ｂ２とによって構成されている。
【００６９】
第２透明電極Ｙ２ｃも、同様に、列方向に延びてバス電極Ｙ２ａに接続される幅狭の脚部Ｙ２ｃ１と、この脚部Ｙ２ｃ１の先端部において行方向に延びて脚部Ｙ２ｃ１と略Ｔ字形状を形成するように一体的に成形された幅広の対向部Ｙ２ｃ２とによって構成されている。
【００７０】
この第１透明電極Ｙ２ｂと第２透明電極Ｙ２ｃは、第２透明電極Ｙ２ｃの脚部Ｙ２ｃ１が第１透明電極Ｙ２ｂの脚部Ｙ２ｂ１よりも長くなるように形成されていて、第１透明電極Ｙ２ｂの対向部Ｙ２ｂ２がバス電極Ｙ２ａから離間した位置に位置され、第２透明電極Ｙ２ｃの対向部Ｙ２ｃ２がバス電極Ｙ２ａに近接した位置に位置されている。
【００７１】
さらに、第１透明電極Ｙ２ｂの対向部Ｙ２ｂ２と第２透明電極Ｙ２ｃの対向部Ｙ２ｃ２は、第２透明電極Ｙ２ｃの対向部Ｙ２ｃ２の行方向の幅が第１透明電極Ｙ２ｂの対向部Ｘ２ｂ２の行方向の幅の二倍以上の長さになるように形成されている。
【００７２】
第１透明電極Ｙ２ｂは、その対向部Ｙ２ｂ２が行電極Ｘ２の対になってバス電極Ｘ２ａに接続されている二つの第１透明電極Ｘ２ｂの対向部Ｘ２ｂ２に対向される位置において、バス電極Ｙ２ａに接続されており、脚部Ｙ２ｂ１が、行電極Ｘ２の対になっている二つの第１透明電極Ｘ２ｂの間に対向する位置に位置され、対向部Ｙ２ｂ２の左側部分が、対になっている第１透明電極Ｘ２ｂのうちの左側に位置している第１透明電極Ｘ２ｂの対向部Ｘ２ｂ２に放電ギャップｇ３を介して対向され、対向部Ｙ２ｂ２の右側部分が、対になっている第１透明電極Ｘ２ｂのうちの右側に位置している第１透明電極Ｘ２ｂの対向部Ｘ２ｂ２に放電ギャップｇ４を介して対向されている。
【００７３】
第２透明電極Ｙ２ｃは、二個の第２透明電極Ｙ２ｃが対になって、等間隔に配置されている第１透明電極Ｙ２ｂ間において、この対になっている二個の第２透明電極Ｙ２ｃの対向部Ｙ２ｃ２が、行電極Ｘ２の第２透明電極Ｘ２ｃの対向部Ｘ２ｃ２にそれぞれ対向される位置において、バス電極Ｙ２ａに接続されており、対になっている二つの第２透明電極Ｙ２ｂの間に対向する位置に行電極Ｘ２の第２透明電極Ｘ２ｃの脚部Ｘ２ｃ１が位置され、対になっている第２透明電極Ｙ２ｃのうちの左側に位置している第２透明電極Ｙ２ｃの対向部Ｙ２ｃ２が、行電極Ｘ２の第２透明電極Ｘ２ｃの対向部Ｘ２ｃ２の左側部分に放電ギャップｇ５を介して対向され、対になっている第２透明電極Ｙ２ｃのうちの右側に位置している第２透明電極Ｙ２ｃの対向部Ｙ２ｃ２が、行電極Ｘ２の第２透明電極Ｘ２ｃの対向部Ｘ２ｃ２の右側部分に放電ギャップｇ６を介して対向されている。
【００７４】
なお、行電極Ｙ２の第１透明電極Ｙ２ｂの対向部Ｙ２ｂ２は、行電極Ｘ２の第２透明電極Ｘ２ｃの対向部Ｘ２ｃ２よりも行電極Ｘ２のバス電極Ｘ２ａ側に位置されていて、行電極Ｙ２の第１透明電極Ｙ２ｂの対向部Ｙ２ｂ２の両端部が、行電極Ｘ２の隣接する第２透明電極Ｘ２ｃの対向部Ｘ２ｃ２の端部とそれぞれ背中合わせに対向されている。
【００７５】
この行電極対（Ｘ２，Ｙ２）が形成される前面ガラス基板と放電空間を介して対向される背面ガラス基板（図示せず）の内面側に第１列電極Ｄ３と第２列電極Ｄ４，第３列電極Ｄ５，第４列電極Ｄ６が形成されている。
【００７６】
第１列電極Ｄ３は、パネルの正面側から見て、行電極Ｘ２の対になっている第１透明電極Ｘ２ｂのうちの図において左側に位置している第１透明電極Ｘ２ｂの対向部Ｘ２ｂ２と、行電極Ｙ２の第１透明電極Ｙ２ｂの対向部Ｙ２ｂ２の左側部分とのみ交差する位置において、列方向に帯状に延びるように形成されている。
【００７７】
第２列電極Ｄ４は、行電極Ｘ２の対になっている第１透明電極Ｘ２ｂのうちの図において右側に位置している第１透明電極Ｘ２ｂの対向部Ｘ２ｂ２と、行電極Ｙ２の第１透明電極Ｙ２ｂの対向部Ｙ２ｂ２の右側部分とのみ交差する位置において、列方向に帯状に延びるように形成されている。
【００７８】
第３列電極Ｄ５は、行電極Ｘ２の第２透明電極Ｘ２ｃの対向部Ｘ２ｃ２の左側部分と、行電極Ｙ２の対になっている第２透明電極Ｙ２ｃのうちの図において左側に位置している第２透明電極Ｙ２ｃの対向部Ｙ２ｃ２とのみ交差する位置において、列方向に帯状に延びるように形成されている。
【００７９】
第４列電極Ｄ６は、行電極Ｘ２の第２透明電極Ｘ２ｃの対向部Ｘ２ｃ２の右側部分と、行電極Ｙ２の対になっている第２透明電極Ｙ２ｃのうちの図において右側に位置している第２透明電極Ｙ２ｃの対向部Ｙ２ｃ２とのみ交差する位置において、列方向に帯状に延びるように形成されている。
【００８０】
そして、以上のような行電極対（Ｘ２，Ｙ２）と第１列電極Ｄ３，第２列電極Ｄ４，第３列電極Ｄ５，第４列電極Ｄ６の構成によって、前面ガラス基板および背面ガラス基板の間の放電空間において、放電ギャップｇ３を介して対向される第１透明電極Ｘ２ｂの対向部Ｘ２ｂ２および第１透明電極Ｙ２ｂの対向部Ｙ２ｂ２の左側部分と第１列電極Ｄ３が交差する部分、および、放電ギャップｇ４を介して対向される第１透明電極Ｘ２ｂの対向部Ｘ２ｂ２および第１透明電極Ｙ２ｂの対向部Ｙ２ｂ２の右側部分と第２列電極Ｄ４が交差する部分に、それぞれ、第１放電セルＣ３が形成されている。
【００８１】
さらに、放電ギャップｇ５を介して対向される第２透明電極Ｘ２ｃの対向部Ｘ２ｃ２の左側部分および第２透明電極Ｙ２ｃの対向部Ｙ２ｃ２と第３列電極Ｄ５が交差する部分、および、放電ギャップｇ６を介して対向される第２透明電極Ｘ２ｃの対向部Ｘ２ｃ２の右側部分および第２透明電極Ｙ２ｃの対向部Ｙ２ｃ２と第４列電極Ｄ６が交差する部分に、それぞれ、第２放電セルＣ４が形成される。
【００８２】
すなわち、ＰＤＰの正面側から見て、各行電極対（Ｘ２，Ｙ２）の行電極Ｘ２のバス電極Ｘ２ａと行電極Ｙ２のバス電極Ｙ２ａとの間に、バス電極Ｘ２ａ側に位置されて行方向に配列される第１放電セルＣ３の行（表示ラインＬ３）と、バス電極Ｙ２ａ側に位置されて行方向に配列される第２放電セルＣ４の行（表示ラインＬ４）の二行の放電セル（二つの表示ライン）が、行方向に略半ピッチずれた状態で列方向に配列されている。
【００８３】
この第１放電セルＣ３および第２放電セルＣ４内には、それぞれ、赤，緑，青の三原色に色分けされた図示しない蛍光体層が行方向に順に形成されている。
【００８４】
上記ＰＤＰは、駆動時に、第１放電セルＣ３内において行電極Ｙ２の第１透明電極Ｙ２ｂと第１列電極Ｄ３または第２列電極Ｄ４との間で、また、第２放電セルＣ４内において第２透明電極Ｙ２ｃと第３列電極Ｄ５または第４列電極Ｄ６との間でそれぞれ選択的にアドレス放電が発生される。
【００８５】
そして、このアドレス放電が発生された第１放電セルＣ３に対向する行電極Ｘ２の第１透明電極Ｘ２ｂと行電極Ｙ２の第１透明電極Ｙ２ｂとの間、および、アドレス放電が発生された第２放電セルＣ４に対向する行電極Ｘ２の第２透明電極Ｘ２ｃと行電極Ｙ２の第２透明電極Ｙ２ｃとの間において、それぞれサステイン放電が発生されて、第１放電セルＣ３および第２放電セルＣ４内に形成されている赤，緑，青に色分けされた蛍光体層が発光されることにより、ＰＤＰのパネル面に映像信号に対応したマトリクス表示による画像が形成される。
【００８６】
上記ＰＤＰによれば、各行電極対（Ｘ２，Ｙ２）毎に、第１放電セルＣ３による表示ラインＬ３と第２放電セルＣ４による表示ラインＬ４の二本の表示ラインが形成されるので、従来の各行電極対毎に表示ラインが一本ずつ形成されるＰＤＰの場合と比較して、画面の高精細化を図るために列方向の放電セルの数が増加される（表示ラインの数が増加される）場合でも、行電極対の数は表示ラインの数の半数で済むので、行電極対の本数の増加によってパネル面における表示領域部分の面積比率が著しく減少するといった問題や、隣接する行電極対間の間隔が狭まって誤放電が発生するといった問題が解消されて、表示画像の高精細化の要求に対して十分に対応することが出来るようになる。
【００８７】
そして、さらに、上記ＰＤＰによれば、行電極Ｘ２の第２透明電極Ｘ２ｃが複数（この例では二個）の行電極Ｙ２の第２透明電極Ｙ２ｃに対向され、行電極Ｙ２の第１透明電極Ｙ２ｂが複数（この例では二個）の行電極Ｘ２の第１透明電極Ｘ２ｂに対向される構成になっていることによって、行電極Ｘ２，Ｙ２のそれぞれの行方向に配列される透明電極の数が、前述した各実施例の場合に比べて減少されるので、透明電極を形成するためのスペースが減少し、その分、行方向に配列される放電セルの数を増加させることが可能になって、さらに表示画像の高精細化が図られるようになる。
【００８８】
なお、上記においては、幅広の対向部を有する一方の透明電極（第２透明電極Ｘ２ｃ，第１透明電極Ｙ２ｂ）に他方の透明電極（第２透明電極Ｙ２ｃ，第１透明電極Ｘ２ｂ）が二個ずつ対向されている例について説明が行われているが、この例に限らず、一方の透明電極に三個以上の他方の透明電極が対向されるようにしても良い。
【００８９】
図８は、上記実施例の変形例を示しており、一方の透明電極に四個の他方の透明電極が対向されている例が示されている。
【００９０】
すなわち、図８において、行電極対（Ｘ３，Ｙ３）の行電極Ｘ３の四個の第１透明電極Ｘ３ｂが行電極Ｙ３の幅広の対向部を有する第１透明電極Ｙ３ｂに対向されており、行電極Ｙ３の四個の第２透明電極Ｙ３ｃが行電極Ｘ３の幅広の対向部を有する第２透明電極Ｘ３ｃに対向されている。
【００９１】
そして、第１列電極Ｄ７が、行電極Ｘ３の四個の第１透明電極Ｘ３ｂと第１透明電極Ｙ３ｂの各第１透明電極Ｘ３ｂに対向するそれぞれの部分と交差する位置に形成され、第２列電極Ｄ８が、行電極Ｙ３の四個の第２透明電極Ｙ３ｃと第２透明電極Ｘ３ｃの各第２透明電極Ｙ３ｃに対向するそれぞれの部分と交差する位置に形成されている。
【００９２】
そして、以上のような行電極対（Ｘ３，Ｙ３）と第１列電極Ｄ７，第２列電極Ｄ８の構成によって、前面ガラス基板および背面ガラス基板の間の放電空間において、各第１透明電極Ｘ３ｂおよび第１透明電極Ｘ３ｂが対向する第１透明電極Ｙ３ｂの部分と第１列電極Ｄ７が交差する部分に、それぞれ第１放電セルＣ５が形成され、さらに、各第２透明電極Ｙ３ｃおよび第２透明電極Ｙ３ｃが対向する第２透明電極Ｘ３ｃの部分と第２列電極Ｄ８が交差する部分に、それぞれ第２放電セルＣ６が形成されている。
【００９３】
すなわち、ＰＤＰの正面側から見て、各行電極対（Ｘ３，Ｙ３）の行電極Ｘ３のバス電極Ｘ３ａと行電極Ｙ３のバス電極Ｙ３ａとの間に、バス電極Ｘ３ａ側に位置されて行方向に配列される第１放電セルＣ５の行（表示ラインＬ５）と、バス電極Ｙ３ａ側に位置されて行方向に配列される第２放電セルＣ６の行（表示ラインＬ６）の二行の放電セル（二つの表示ライン）が、列方向に配列されている。
【００９４】
以上のように、幅広の対向部を有する一個の一方の透明電極（第２透明電極Ｘ３ｃ，第１透明電極Ｙ３ｂ）に対して対向される他方の透明電極（第２透明電極Ｙ３ｃ，第１透明電極Ｘ３ｂ）の数が増加されることにより、行方向に配列される放電セルの数をさらに増加させることが可能になって、画面の高精細化がさらに図られるようになる。
【実施例５】
【００９５】
図９は、この発明の実施形態の第５実施例におけるＰＤＰのパネル面の一部を模式的に示す正面図である。
【００９６】
この第５実施例におけるＰＤＰは、前述した図７の第４実施例のＰＤＰに対して、列電極の構成を改良したもので、行電極対の構成およびＰＤＰの他の部分の構成については第４実施例のＰＤＰとほぼ同様であり、この第４実施例のＰＤＰと同一の構成部分については、図９おいて、図７と同一の符号が付されている。
【００９７】
図９において、背面ガラス基板（図示せず）の前面ガラス基板（図示せず）に対向する内面側に、第１列電極Ｄ９と第２列電極Ｄ１０，第３列電極Ｄ１１，第４列電極Ｄ１２が形成されている。
【００９８】
第１列電極Ｄ９は、パネルの正面側から見て、行電極Ｘ２のバス電極Ｘ２ａの上方から、行電極Ｙ２の第１透明電極Ｙ２ｂの脚部Ｙ２ｂ１と直線上に並ぶ位置において列方向下向きに延び、バス電極Ｘ２ａに対向する位置において斜め左側下方に延びる方向に屈曲し、第１透明電極Ｙ２ｂに対向している二つの第１透明電極Ｘ２ｂのうち左側に位置している第１透明電極Ｘ２ｂの脚部Ｘ２ｂ１に対向する位置から第１透明電極Ｙ２ｂの対向部Ｙ２ｂ２と交差する位置まで列方向下向きに延び、対向部Ｙ２ｂ２との交差を完了した位置から斜め右側下方に延びる方向に屈曲し、第１透明電極Ｙ２ｂの脚部Ｙ２ｃ１に対向する位置において列方向下向きに延びる方向に屈曲して、行電極Ｙ２のバス電極Ｙ２ａの下方位置まで延び、そして、行電極対（Ｘ２，Ｙ２）毎に、同様のパターンを繰り返すように形成されている。
【００９９】
第２列電極Ｄ１０は、パネルの正面側から見て、行電極Ｘ２のバス電極Ｘ２ａの上方から、行電極Ｘ２の第２透明電極Ｘ２ｃの脚部Ｘ２ｃ１と直線上に並ぶ位置において列方向下向きに延び、バス電極Ｘ２ａに対向する位置において斜め左側下方に延びる方向に屈曲し、第１透明電極Ｙ２ｂに対向している二つの第１透明電極Ｘ２ｂのうち右側に位置している第１透明電極Ｘ２ｂの脚部Ｘ２ｂ１に対向する位置から第１透明電極Ｙ２ｂの対向部Ｙ２ｂ２と交差する位置まで列方向下向きに延び、対向部Ｙ２ｂ２との交差を完了した位置から斜め右側下方に延びる方向に屈曲し、第２透明電極Ｘ２ｃの脚部Ｘ２ｃ１に対向する位置において列方向下向きに延びる方向に屈曲して、行電極Ｙ２のバス電極Ｙ２ａの下方位置まで延び、そして、行電極対（Ｘ２，Ｙ２）毎に、同様のパターンを繰り返すように形成されている。
【０１００】
第３列電極Ｄ１１は、パネルの正面側から見て、行電極Ｘ２のバス電極Ｘ２ａの上方から、行電極Ｙ２の第１透明電極Ｙ２ｂに対向している二つの第１透明電極Ｘ２ｂのうち右側に位置している第１透明電極Ｘ２ｂの脚部Ｘ２ｂ１と直線上に並ぶ位置において列方向下向きに延び、バス電極Ｘ２ａに対向する位置において斜め左側下方に延びる方向に屈曲し、第１透明電極Ｙ２ｂの脚部Ｙ２ｂ１と直線状に並ぶ位置において列方向下向きに延びる方向に屈曲し、第１透明電極Ｙ２ｂの対向部Ｙ２ｂ２よりも下方で第２透明電極Ｘ２ｃの対向部Ｘ２ｃ２よりも上方位置から斜め右側下方に延びる方向に屈曲し、第２透明電極Ｘ２ｃに対向している二つの第２透明電極Ｙ２ｃのうち左側に位置している第２透明電極Ｙ２ｃの脚部Ｙ２ｃ１と直線状に並ぶ位置において列方向下向きに延びる方向に屈曲して、行電極Ｙ２のバス電極Ｙ２ａの下方位置まで延び、そして、行電極対（Ｘ２，Ｙ２）毎に、同様のパターンを繰り返すように形成されている。
【０１０１】
第４列電極Ｄ１２は、パネルの正面側から見て、行電極Ｘ２のバス電極Ｘ２ａの上方から、行電極Ｙ２の第１透明電極Ｙ２ｂに対向している二つの第１透明電極Ｘ２ｂのうち左側に位置している第１透明電極Ｘ２ｂの脚部Ｘ２ｂ１と直線状に並ぶ位置において列方向下向きに延び、バス電極Ｘ２ａに対向する位置において斜め左側下方に延びる方向に屈曲し、第２透明電極Ｘ２ｃの脚部Ｘ２ｃ１と対向する位置において列方向下向きに延びる方向に屈曲し、列方向における第１透明電極Ｙ２ｂの対向部Ｙ２ｂ２の形成位置よりも下方で第２透明電極Ｘ２ｃの対向部Ｘ２ｃ２の形成位置よりも上方位置から斜め右側下方に延びる方向に屈曲し、第２透明電極Ｘ２ｃに対向している二つの第２透明電極Ｙ２ｃのうち右側に位置している第２透明電極Ｙ２ｃの脚部Ｙ２ｃ１と直線状に並ぶ位置において列方向下向きに延びる方向に屈曲して、行電極Ｙ２のバス電極Ｙ２ａの下方位置まで延び、そして、行電極対（Ｘ２，Ｙ２）毎に、同様のパターンを繰り返すように形成されている。
【０１０２】
そして、以上のような行電極対（Ｘ２，Ｙ２）と第１列電極Ｄ９，第２列電極Ｄ１０，第３列電極Ｄ１１，第４列電極Ｄ１２の構成によって、前面ガラス基板および背面ガラス基板の間の放電空間において、互いに対向する第１透明電極Ｘ２ｂの対向部Ｘ２ｂ２および第１透明電極Ｙ２ｂの対向部Ｙ２ｂ２の左側部分と第１列電極Ｄ９の直線部が交差する部分、および、互いに対向する第１透明電極Ｘ２ｂの対向部Ｘ２ｂ２および第１透明電極Ｙ２ｂの対向部Ｙ２ｂ２の右側部分と第２列電極Ｄ１０の直線部が交差する部分に、それぞれ、第１放電セルＣ７が形成されている。
【０１０３】
さらに、互いに対向する第２透明電極Ｘ２ｃの対向部Ｘ２ｃ２の左側部分および第２透明電極Ｙ２ｃの対向部Ｙ２ｃ２と第３列電極Ｄ１１の直線部が交差する部分、および、互いに対向される第２透明電極Ｘ２ｃの対向部Ｘ２ｃ２の右側部分および第２透明電極Ｙ２ｃの対向部Ｙ２ｃ２と第４列電極Ｄ１２の直線部が交差する部分に、それぞれ、第２放電セルＣ８が形成される。
【０１０４】
上記ＰＤＰの構成によれば、前述した各実施例の場合と同様に、ＰＤＰの正面側から見て、各行電極対（Ｘ２，Ｙ２）の行電極Ｘ２のバス電極Ｘ２ａと行電極Ｙ２のバス電極Ｙ２ａとの間に、バス電極Ｘ２ａ側に位置されて行方向に配列される第１放電セルＣ７の行（表示ラインＬ７）と、バス電極Ｙ２ａ側に位置されて行方向に配列される第２放電セルＣ８の行（表示ラインＬ８）の二行の放電セル（二つの表示ライン）が形成されて、表示画像の高精細化に対応することが出来るようになるとともに、第１列電極Ｄ９と第２列電極Ｄ１０，第３列電極Ｄ１１，第４列電極Ｄ１２が、それぞれ、行電極Ｘ２，Ｙ２の第１透明電極Ｘ２ｂ，Ｙ２ｂ，第２透明電極Ｘ２ｃ，Ｙ２ｃの配置に対応して屈曲した形状に形成されていることによって、第１放電セルＣ７と第２放電セルＣ８が列方向においてほぼ直線状に並ぶように形成されるようにすることが出来る。
【０１０５】
さらに、上記ＰＤＰの構成によれば、第１列電極Ｄ９と第２列電極Ｄ１０，第３列電極Ｄ１１，第４列電極Ｄ１２のそれぞれと行電極Ｘ２の第１透明電極Ｘ２ｂの対向部Ｘ２ｂ２および行電極Ｙ２の第２透明電極Ｙ２ｃの対向部Ｙ２ｃ２とが交差する位置が、それぞれ第１透明電極Ｘ２ｂの対向部Ｘ２ｂ２および第２透明電極Ｙ２ｃの対向部Ｙ２ｃ２の行方向における幅のほぼ中央位置に設定されるようにすることができるため、各透明電極と列電極との間でアドレス放電をより確実に発生させることが出来るようになる。
【０１０６】
なお、図９に示されているＰＤＰにおいては、各列電極が直線状に屈曲されているが、各列電極は、曲線状に湾曲するように形成しても良い。
【実施例６】
【０１０７】
図１０は、この発明の実施形態の第６実施例におけるＰＤＰのパネル面の一部を模式的に示す正面図である。
【０１０８】
この第６実施例におけるＰＤＰは、前述した図７の第４実施例のＰＤＰに対して、列電極の構成を改良したもので、行電極対の構成およびＰＤＰの他の部分の構成については第４実施例のＰＤＰとほぼ同様であり、この第４実施例のＰＤＰと同一の構成部分については、図９おいて、図７と同一の符号が付されている。
【０１０９】
図１０において、背面ガラス基板（図示せず）の前面ガラス基板（図示せず）に対向する内面側に、第１列電極Ｄ１３と第２列電極Ｄ１４，第３列電極Ｄ１５，第４列電極Ｄ１６が形成されている。
【０１１０】
第１列電極Ｄ１３は、本体部Ｄ１３ａが、パネルの正面側から見て、行電極Ｙ２の第１透明電極Ｙ２ｂの脚部Ｙ２ｂ１の左側縁部分と対向する位置において列方向に直線状に延びている。
【０１１１】
そして、この本体部Ｄ１３ａの第１透明電極Ｙ２ｂの対向部Ｙ２ｂ２に対向する部分に、本体部Ｄ１３ａから行方向に沿って左方向に突出して第１透明電極Ｙ２ｂの対向部Ｙ２ｂ２の左側部分に対向する帯状の突出部Ｄ１３ｂが、一体的に形成されている。
【０１１２】
第２列電極Ｄ１４は、本体部Ｄ１４ａが、パネルの正面側から見て、行電極Ｙ２の第１透明電極Ｙ２ｂの脚部Ｙ２ｂ１の右側縁部分と対向する位置において列方向に直線状に延びている。
【０１１３】
そして、この本体部Ｄ１４ａの第１透明電極Ｙ２ｂの対向部Ｙ２ｂ２に対向する部分に、本体部Ｄ１４ａから行方向に沿って右方向に突出して第１透明電極Ｙ２ｂの対向部Ｙ２ｂ２の右側部分に対向する帯状の突出部Ｄ１４ｂが、一体的に形成されている。
【０１１４】
第３列電極Ｄ１５は、本体部Ｄ１５ａが、パネルの正面側から見て、行電極Ｘ２の第２透明電極Ｘ２ｃの脚部Ｘ２ｃ１の左側縁部分と対向する位置において列方向に直線状に延びている。
【０１１５】
そして、この本体部Ｄ１５ａの第２透明電極Ｙ２ｃの対向部Ｙ２ｃ２と列方向において同じ高さ部分に、本体部Ｄ１５ａから行方向に沿って左方向に突出して、第２透明電極Ｘ２ｃの対向部Ｘ２ｃ２に対向している二つの第２透明電極Ｙ２ｃのうち左側に位置している第２透明電極Ｙ２ｃの対向部Ｙ２ｃ２に対向する帯状の突出部Ｄ１５ｂが、一体的に形成されている。
【０１１６】
第４列電極Ｄ１６は、本体部Ｄ１６ａが、パネルの正面側から見て、行電極Ｘ２の第２透明電極Ｘ２ｃの脚部Ｘ２ｃ１の右側縁部分と対向する位置において列方向に直線状に延びている。
【０１１７】
そして、この本体部Ｄ１６ａの第２透明電極Ｙ２ｃの対向部Ｙ２ｃ２と列方向において同じ高さ部分に、本体部Ｄ１６ａから行方向に沿って右方向に突出して、第２透明電極Ｘ２ｃの対向部Ｘ２ｃ２に対向している二つの第２透明電極Ｙ２ｃのうち右側に位置している第２透明電極Ｙ２ｃの対向部Ｙ２ｃ２に対向する帯状の突出部Ｄ１６ｂが、一体的に形成されている。
【０１１８】
上記ＰＤＰの構成によれば、前述した各実施例の場合と同様に、ＰＤＰの正面側から見て、各行電極対（Ｘ２，Ｙ２）の行電極Ｘ２のバス電極Ｘ２ａと行電極Ｙ２のバス電極Ｙ２ａとの間に、バス電極Ｘ２ａ側に位置されて行方向に配列される第１放電セルＣ９の行（表示ラインＬ９）と、バス電極Ｙ２ａ側に位置されて行方向に配列される第２放電セルＣ１０の行（表示ラインＬ１０）の二行の放電セル（二つの表示ライン）が形成されて、画面の高精細化に対応することが出来るようになるとともに、第１列電極Ｄ１３と第２列電極Ｄ１４，第３列電極Ｄ１５，第４列電極Ｄ１６が、それぞれ、本体部Ｄ１３ａ，Ｄ１４ａ，Ｄ１５ａ，Ｄ１６ａから行方向に突出する突出部Ｄ１３ｂ，Ｄ１４ｂ，Ｄ１５ｂ，Ｄ１６ｂを備えていて、この突出部Ｄ１３ｂ，Ｄ１４ｂ，Ｄ１５ｂ，Ｄ１６ｂが、第１透明電極Ｙ１ｂの対向部Ｙ１ｂ２の両側の部分および第２透明電極Ｙ２ｃの対向部Ｙ２ｃ２にそれぞれ対向されていることによって、各透明電極と列電極との対向面積が増加されて、その間で発生されるアドレス放電がより確実に発生されるようになる。
【０１１９】
さらに、上記ＰＤＰの構成によれば、第１列電極Ｄ１３と第２列電極Ｄ１４，第３列電極Ｄ１５，第４列電極Ｄ１６のそれぞれ本体部Ｄ１３ａ，Ｄ１４ａ，Ｄ１５ａ，Ｄ１６ａから行方向に突出する突出部Ｄ１３ｂ，Ｄ１４ｂ，Ｄ１５ｂ，Ｄ１６ｂが、第１透明電極Ｙ１ｂの対向部Ｙ１ｂ２の両側の部分および第２透明電極Ｙ２ｃの対向部Ｙ２ｃ２にそれぞれ対向されるようになっていることによって、第１放電セルＣ９と第２放電セルＣ１０が列方向においてほぼ直線状に並ぶように形成されるようにすることが可能になる。
【実施例７】
【０１２０】
図１１は、この発明の実施形態の第７実施例におけるＰＤＰのパネル面の一部を模式的に示す正面図である。
【０１２１】
なお、この発明は、前面ガラス基板に行電極対を形成して誘電体層によって被覆するとともに背面ガラス基板側に蛍光体層と列電極を形成した反射型交流ＰＤＰ、および、前面ガラス基板側に行電極対と列電極を形成して誘電体層によって被覆するとともに背面ガラス基板側に蛍光体層を形成した反射型交流ＰＤＰ，前面ガラス基板側に蛍光体層を形成するとともに背面ガラス基板側に行電極対および列電極を形成して誘電体層によって被覆した透過型交流ＰＤＰなどの種々の形式のＰＤＰに適用することが出来るが、以下においては、この発明を、行電極対を前面ガラス基板に形成し背面ガラス基板側に蛍光体層と列電極を形成した図１ないし３のＰＤＰと同様の反射型交流ＰＤＰに適用した場合の実施例について、説明を行う。
【０１２２】
図１１において、前面ガラス基板（図示せず）の背面側に、それぞれ行電極Ｘ４とＹ４によって構成される行電極対（Ｘ４，Ｙ４）が、行方向に延び列方向に並設された状態で多数形成されている。
【０１２３】
行電極Ｘ４は、行方向に延びる帯状の金属膜からなるバス電極Ｘ４ａと、このバス電極Ｘ４ａに交互に接続されてこのバス電極Ｘ４ａから対になっている行電極Ｙ４側に列方向（図１１において下方向）に突出する略Ｔ字形状の第１透明電極Ｘ４ｂおよび第２透明電極Ｘ４ｃとから構成されている。
【０１２４】
この行電極Ｘ４の第１透明電極Ｘ４ｂおよび第２透明電極Ｘ４ｃは、バス電極Ｘ４ａに沿って交互に等間隔に接続されており、それぞれ、列方向に延びてバス電極Ｘ４ａに接続される幅狭の脚部Ｘ４ｂ１，Ｘ４ｃ１と、この脚部Ｘ４ｂ１，Ｘ４ｃ１の先端部において行方向に延びて脚部Ｘ４ｂ１，Ｘ４ｃ１と略Ｔ字形状を形成するように一体的に成形された幅広の対向部Ｘ４ｂ２，Ｘ４ｃ２とによって構成されている。
【０１２５】
そして、この第１透明電極Ｘ４ｂと第２透明電極Ｘ４ｃとは、第２透明電極Ｘ４ｃの脚部Ｘ４ｃ１が第１透明電極Ｘ４ｂの脚部Ｘ４ｂ１よりも長くなるように形成されていて、第１透明電極Ｘ４ｂの対向部Ｘ４ｂ２がバス電極Ｘ４ａに近接する位置に位置され、第２透明電極Ｘ４ｃの対向部Ｘ４ｃ２がバス電極Ｘ４ａから離間した位置に位置されているとともに、第２透明電極Ｘ４ｃの対向部Ｘ４ｃ２の両端部分が、それぞれ第２透明電極Ｘ４ｃの両側に位置する第１透明電極Ｘ４ｂの対向部Ｘ４ｂ２のそれぞれの端部と所要の間隔を開けた状態で対向されている。
【０１２６】
この第１透明電極Ｘ４ｂの対向部Ｘ４ｂ２と第２透明電極Ｘ４ｃの対向部Ｘ４ｃ２は、それぞれ行方向の幅が、後述するような放電セルの行方向の幅の二倍以上の大きさとなるように設定されている。
【０１２７】
同様に、行電極Ｙ４も、行方向に延びる帯状の金属膜からなるバス電極Ｙ４ａと、このバス電極Ｙ４ａに交互に接続されてこのバス電極Ｙ４ａから対になっている行電極Ｘ４側に列方向（図１１において上方向）に突出する略Ｔ字形状の第１透明電極Ｙ４ｂおよび第２透明電極Ｙ４ｃとから構成されている。
【０１２８】
この行電極Ｙ４の第１透明電極Ｙ４ｂおよび第２透明電極Ｙ４ｃは、バス電極Ｙ４ａに沿って交互に等間隔に接続されており、それぞれ、列方向に延びてバス電極Ｙ４ａに接続される幅狭の脚部Ｙ４ｂ１，Ｙ４ｃ１と、この脚部Ｙ４ｂ１，Ｙ４ｃ１の先端部において行方向に延びて脚部Ｙ４ｂ１，Ｙ４ｃ１と略Ｔ字形状を形成するように一体的に成形された幅広の対向部Ｙ４ｂ２，Ｙ４ｃ２とによって構成されている。
【０１２９】
この第１透明電極Ｙ４ｂと第２透明電極Ｙ４ｃとは、第１透明電極Ｙ４ｂの脚部Ｙ４ｂ１が第２透明電極Ｙ４ｃの脚部Ｙ４ｃ１よりも長くなるように形成されていて、第１透明電極Ｙ４ｂの対向部Ｙ４ｂ２がバス電極Ｙ４ａから離間する位置に位置され、第２透明電極Ｙ４ｃの対向部Ｙ４ｃ２がバス電極Ｙ４ａに近接する位置に位置されている。
【０１３０】
この第１透明電極Ｙ４ｂの対向部Ｙ４ｂ２と第２透明電極Ｙ４ｃの対向部Ｙ４ｃ２は、それぞれ行方向の幅が、行電極Ｘ４の第１透明電極Ｘ４ｂの対向部Ｘ４ｂ２および第２透明電極Ｘ４ｃの対向部Ｘ４ｃ２と同様に、後述するような放電セルの行方向の幅の二倍以上の大きさとなるように設定されている。
【０１３１】
そして、第１透明電極Ｙ４ｂは、行電極Ｘ４の第１透明電極Ｘ４ｂに対向する位置においてバス電極Ｙ４ａに接続されており、対向部Ｙ４ｂ２が、列方向において行電極Ｘ４の第１透明電極Ｘ４ｂの対向部Ｘ４ｂ２と第２透明電極Ｘ４ｃの対向部Ｘ４ｃ２との間の位置において、第１透明電極Ｘ４ｂの対向部Ｘ４ｂ２と放電ギャップｇ７を介して対向されている。
【０１３２】
第２透明電極Ｙ４ｃは、行電極Ｘ４の第２透明電極Ｘ４ｃに対向する位置においてバス電極Ｙ４ａに接続されており、対向部Ｙ４ｃ２が、第２透明電極Ｘ４ｃの対向部Ｘ４ｃ２に放電ギャップｇ８を介して対向されている。
【０１３３】
この行電極対（Ｘ４，Ｙ４）が形成される前面ガラス基板と放電空間を介して対向される背面ガラス基板（図示せず）の内面側に第１列電極Ｄ１７と第２列電極Ｄ１８，第３列電極Ｄ１９，第４列電極Ｄ２０が形成されている。
【０１３４】
そして、第１列電極Ｄ１７は、放電ギャップｇ７を介して互いに対向している第１透明電極Ｘ４ｂの対向部Ｘ４ｂ２および第１透明電極Ｙ４ｂの対向部Ｙ４ｂ２の図において左側部分と交差する位置において列方向に直線状に延びるように形成されている。
【０１３５】
第２列電極Ｄ１８は、放電ギャップｇ７を介して互いに対向している第１透明電極Ｘ４ｂの対向部Ｘ４ｂ２および第１透明電極Ｙ４ｂの対向部Ｙ４ｂ２の図において右側部分と交差する位置において列方向に直線状に延びるように形成されている。
【０１３６】
第３列電極Ｄ１９は、放電ギャップｇ８を介して互いに対向している第２透明電極Ｘ４ｃの対向部Ｘ４ｃ２および第２透明電極Ｙ４ｃの対向部Ｙ４ｃ２の図において左側部分と交差する位置において列方向に直線状に延びるように形成されている。
【０１３７】
第４列電極Ｄ２０は、放電ギャップｇ８を介して互いに対向している第２透明電極Ｘ４ｃの対向部Ｘ４ｃ２および第２透明電極Ｙ４ｃの対向部Ｙ４ｃ２の図において右側部分と交差する位置において列方向に直線状に延びるように形成されている。
【０１３８】
そして、前面ガラス基板および背面ガラス基板の間の放電空間において、放電ギャップｇ７を介して対向される第１透明電極Ｘ４ｂの対向部Ｘ４ｂ２の左側部分および第１透明電極Ｙ４ｂの対向部Ｙ４ｂ２の左側部分と第１列電極Ｄ１７が交差する部分、および、第１透明電極Ｘ４ｂの対向部Ｘ４ｂ２の右側部分および第１透明電極Ｙ４ｂの対向部Ｙ４ｂ２の右側部分と第２列電極Ｄ１８が交差する部分に、それぞれ第１放電セルＣ１１が形成されている。
【０１３９】
さらに、放電ギャップｇ８を介して対向される第２透明電極Ｘ４ｃの対向部Ｘ４ｃ２の左側部分および第２透明電極Ｙ４ｃの対向部Ｙ４ｃ２の左側部分と第３列電極Ｄ１９が交差する部分、および、第２透明電極Ｘ４ｃの対向部Ｘ４ｃ２の右側部分および第２透明電極Ｙ４ｃの対向部Ｙ４ｃ２の右側部分と第４列電極Ｄ２０が交差する部分に、それぞれ第２放電セルＣ１２が形成されている。
【０１４０】
すなわち、ＰＤＰの正面側から見て、各行電極対（Ｘ４，Ｙ４）の行電極Ｘ４のバス電極Ｘ４ａと行電極Ｙ４のバス電極Ｙ４ａとの間に、バス電極Ｘ４ａ側に位置されて行方向に配列される第１放電セルＣ１１の行（表示ラインＬ１１）と、バス電極Ｙ４ａ側に位置されて行方向に配列される第２放電セルＣ１２の行（表示ラインＬ１２）の二行の放電セル（二つの表示ライン）が、列方向に配列されている。
【０１４１】
そして、前面ガラス基板および背面ガラス基板の間に、第１放電セルＣ１１および第２放電セルＣ１２を囲む仕切り壁を有する隔壁２０が形成されていて、各第１放電セルＣ１１および第２放電セルＣ１２を区画している。
【０１４２】
この第１放電セルＣ１１および第２放電セルＣ１２内には、それぞれ、赤，緑，青の三原色に色分けされた図示しない蛍光体層が行方向に順に形成されている。
【０１４３】
上記ＰＤＰの構成によれば、各行電極対（Ｘ４，Ｙ４）毎に、第１放電セルＣ１１による表示ラインＬ１１と第２放電セルＣ１２による表示ラインＬ１２の二本の表示ラインが形成されるので、従来の各行電極対毎に表示ラインが一本ずつ形成されるＰＤＰの場合と比較して、画面の高精細化を図るために列方向の放電セルの数が増加される（表示ラインの数が増加される）場合でも、行電極対の数は表示ラインの数の半数で済むので、行電極対の本数の増加によってパネル面における表示領域部分の面積比率が著しく減少するといった問題や、隣接する行電極対間の間隔が狭まって誤放電が発生するといった問題が解消されて、画面の高精細化の要求に対して十分に対応することが出来るようになる。
【０１４４】
さらに、上記ＰＤＰの構成によれば、互いに対向している行電極Ｘ４の第１透明電極Ｘ４ｂと行電極Ｙ４の第１透明電極Ｙ４ｂ、および、第２透明電極Ｘ４ｃと第２透明電極Ｙ４ｃのそれぞれの対において、複数（図示の例では二個）の放電セルが形成されるので、前述した各実施例のＰＤＰの場合に比べて、行電極Ｘ４およびＹ４の何れにおいても、形成される透明電極の数が減少されるので、その分、放電セルの形成スペースが増加されるので、さらに画面の高精細化を図ることが出来るようになる。
【０１４５】
また、上記ＰＤＰは、隔壁２０によって第１放電セルＣ１１および第２放電セルＣ１２がそれぞれ区画されているので、行方向および列方向において隣接する放電セル間での放電の干渉による誤放電が発生するのが防止される。
【０１４６】
なお、前面ガラス基板の背面に形成されて行電極対（Ｘ４，Ｙ４）を被覆する誘電体層の背面側に、放電空間内に張り出して隔壁２０に当接される嵩上げ部を形成して、放電セル間を閉じるようにすることにより、さらに誤放電の発生が防止されるようになる。
【図面の簡単な説明】
【０１４７】
【図１】従来のＰＤＰの構成を示す正面図である。
【図２】図１のＶ−Ｖ線における断面図である。
【図３】図１のＷ−Ｗ線における断面図である。
【図４】この発明の実施形態における第１実施例を模式的に示す正面図である。
【図５】この発明の実施形態における第２実施例を模式的に示す正面図である。
【図６】この発明の実施形態における第３実施例を模式的に示す正面図である。
【図７】この発明の実施形態における第４実施例を模式的に示す正面図である。
【図８】この発明の実施形態における第４実施例の変形例を模式的に示す正面図である。
【図９】この発明の実施形態における第５実施例を模式的に示す正面図である。
【図１０】この発明の実施形態における第６実施例を模式的に示す正面図である。
【図１１】この発明の実施形態における第７実施例を模式的に示す正面図である。
【符号の説明】
【０１４８】
Ｘ１，Ｘ２，Ｘ３，Ｘ４            …第１行電極
Ｘ１ａ，Ｘ２ａ，Ｘ３ａ，Ｘ４ａ    …バス電極（第１電極本体部）  
Ｘ１ｂ，Ｘ２ｂ，Ｘ３ｂ，Ｘ４ｂ    …第１透明電極（第１突出電極部）
Ｘ１ｃ，Ｘ２ｃ，Ｘ３ｃ，Ｘ４ｃ    …第２透明電極（第２突出電極部）
Ｘ１ｂ１，Ｘ２ｂ１，Ｘ３ｂ１，Ｘ４ｂ１，Ｘ１ｃ１，Ｘ２ｃ１，Ｘ３ｃ１，Ｘ４ｃ      １                              …脚部
Ｘ１ｂ２，Ｘ２ｂ２，Ｘ３ｂ２，Ｘ４ｂ２，Ｘ１ｃ２，Ｘ２ｃ２，Ｘ３ｃ２，Ｘ４ｃ      ２                              …対向部
Ｙ１，Ｙ２，Ｙ３，Ｙ４            …第２行電極
Ｙ１ａ，Ｙ２ａ，Ｙ３ａ，Ｙ４ａ    …バス電極（第２電極本体部）  
Ｙ１ｂ，Ｙ２ｂ，Ｙ３ｂ，Ｙ４ｂ    …第１透明電極（第３突出電極部）
Ｙ１ｃ，Ｙ２ｃ，Ｙ３ｃ，Ｙ４ｃ    …第２透明電極（第４突出電極部）
Ｙ１ｂ１，Ｙ２ｂ１，Ｙ３ｂ１，Ｙ４ｂ１，Ｙ１ｃ１，Ｙ２ｃ１，Ｙ３ｃ１，Ｙ４ｃ      １                              …脚部
Ｙ１ｂ２，Ｙ２ｂ２，Ｙ３ｂ２，Ｙ４ｂ２，Ｙ１ｃ２，Ｙ２ｃ２，Ｙ３ｃ２，Ｙ４ｃ      ２                              …対向部
Ｄ１，Ｄ３，Ｄ７，Ｄ９，Ｄ１３，Ｄ１７
…第１列電極（列電極）
Ｄ２，Ｄ４，Ｄ８，Ｄ１１，Ｄ１４，Ｄ１８
…第２列電極（列電極）
Ｄ５，Ｄ１０，Ｄ１５，Ｄ１９      …第３列電極（列電極）
Ｄ６，Ｄ１２，Ｄ１６，Ｄ２０      …第４列電極（列電極）
Ｄ１３ａ，Ｄ１４ａ，Ｄ１５ａ，Ｄ１６ａ
…本体部
Ｄ１３ｂ，Ｄ１４ｂ，Ｄ１５ｂ，Ｄ１６ｂ
…突出部
Ｃ１，Ｃ３，Ｃ５，Ｃ７，Ｃ９，Ｃ１１
…第１放電セル（第１単位発光領域）
Ｃ２，Ｃ４，Ｃ６，Ｃ８，Ｃ１０，Ｃ１２
…第２放電セル（第２単位発光領域）
ｇ１，ｇ２，ｇ３，ｇ４，ｇ５，ｇ６，ｇ７，ｇ８
…放電ギャップ
Ｌ１，Ｌ３，Ｌ５，Ｌ７，Ｌ９，Ｌ１１
…表示ライン（第１表示ライン）
Ｌ２，Ｌ４，Ｌ６，Ｌ８，Ｌ１０，Ｌ１２
…表示ライン（第２表示ライン）
１０，２０                        …隔壁
１１                              …光吸収層
【図１】
2006216245.tif 000003
【図２】
2006216245.tif 000004
【図３】
2006216245.tif 000005
【図４】
2006216245.tif 000006
【図５】
2006216245.tif 000007
【図６】
2006216245.tif 000008
【図７】
2006216245.tif 000009
【図８】
2006216245.tif 000010
【図９】
2006216245.tif 000011
【図１０】
2006216245.tif 000012
【図１１】
2006216245.tif 000013